(57)【要約】【課題】曲面形状の電飾に適用できるとともに、発光素子基板を削減し、コストを大幅に低減し、取り扱いを容易とし、スペースを有効活用する。【解決手段】基板部４０は、上前面基板４１、中前面基板４２、下前面基板４３の三枚の前面基板が略水平方向に所定間隔Ｈを空けて配置され３層構造とし、前縁部４４が受光部６０の曲線形状に合わせて弧状に形成され、受光部６０の近傍に設け、各前面基板４１〜４３の前縁部４４近傍には、それぞれ、受光部６０の３次元曲面をなす受光面の曲面形状に沿わせて、弧状に多数の側面発光型のＬＥＤチップ４７が実装してあり、ＬＥＤチップ４７から側面方向に発光される光が干渉しないように遮光するとともに、光の拡散を防止し、上側にある前面基板４１及び４２の裏面、前面基板４３の表面に反射されて、各前面基板４１〜４３の上部領域で複雑に屈折することで、電飾効果を高める。【選択図】図２
2004223021.tif 000002
【特許請求の範囲】
【請求項１】
３次元曲面を有する光透過性の受光部と、
前記３次元曲面の形状に沿わせて側面発光型の発光素子を前記３次元曲面の近くに配置する基板と、
を備えることを特徴とする遊技機用発光装置。
【請求項２】
コネクタの挿脱方向が前記基板と平行になる請求項１の遊技機用発光装置。
【請求項３】
前記基板の両面に前記発光素子を設ける請求項１又は２の遊技機用発光装置。
【請求項４】
前記基板を所定間隔又は適宜間隔で所定方向に複層に配置してなる請求項１ないし３いずれかの遊技機用発光装置。
【請求項５】
前記間隔は、前記発光素子から発光される光が前記基板に反射されるよう設定されている請求項４の遊技機用発光装置。
【発明の詳細な説明】
【０００１】
【産業上の利用分野】
この発明は、パチンコ機の前面側に設けた電飾カバーを内側から発光素子の光で照明するパチンコ機の遊技機用発光装置に関するものである。
【０００２】
【従来技術】
【特許文献１】特開２００１−２８６６０８
特許文献１は、通常のＬＥＤ型の電飾装置であり、基板に対して垂直方向に発光するＬＥＤを実装したものであり、曲面形状である受光部材に対して基板を配置するものである。
【特許文献２】特開２００１−２５９１２５
【特許文献３】特開２００２−１９８６１８
特許文献２、３は、フレキシブル基板を用いる電飾装置であり、このフレキシブル基板は曲面と一体に配置することが出来るので、曲面での発光効果がある。
【０００３】
【発明が解決しようとしている課題】
しかしながら、特許文献１の電飾装置（通常基板型）は、ＬＥＤ３４７から基板３４１の垂直方向に発光するので、曲面のある受光部３６０を光らせる場合、基板というのは硬いものであるので、複数のＬＥＤ基板３４１を受光部３６０に対し平行に配置することができず、図７に示す通り、折れ曲がり状に多数の基板３４１を配置せざるをえず、ＬＥＤ基板３４１の数が多くなり、ＬＥＤ基板３４１と受光部３６０との距離に遠近のばらつきが生じ電飾効果が不十分である。また、スペースを多く取るという問題がある。
また特許文献２、３の電飾装置（フレキシブル基板型）は、フレキシブル基板の柔軟性を利用して、受光部の曲面と一体にフレキシブル基板を配置することができるので、ＬＥＤの発光効果があるものの、コストが高くなり、組立性が悪く、取り扱い難いという問題がある。
いずれにしても従来の発明は、一長一短があり（後掲の表１参照）、いまだ十分なものではない。
【０００４】
【課題を解決する手段】
前記の課題を解決するためになされた本発明は３次元曲面を有する光透過性の受光部と、前記３次元曲面の曲面形状に沿わせて側面発光型の発光素子を前記３次元曲面の近くに配置する基板と、を備えることを特徴とする遊技機用発光装置である。
本発明によれば、３次元曲面を有する受光部から遊技者に対して発光させる場合、従来のＬＥＤ基板よりも基板枚数が減るという効果がある。
曲面発光に有利なフレキシブル基板よりコストが低く、また扱いやすい。
発光素子は単数個、複数個のいずれでもよく、多数個でもよい。
【０００５】
３次元曲面の形状は、帯状の細面等が挙げられる。受光部はレンズが好ましい。
コネクタの挿脱方向が前記基板と平行になることが好ましい。これによりスペースを有効利用でき、遊技機用発光装置を容易に設置できる。
前記基板の両面に前記発光素子を設けることが好ましい。これによりスペースを有効利用するとともに電飾効果が倍増する。
前記基板を所定間隔又は適宜間隔で所定方向に複層配置することが好ましい。これにより電飾効果が高まる。
前記間隔は、前記発光素子から発光される光が前記基板に反射されるよう設定されていることが好ましい。これにより複層間の光を遮光して干渉を防止し、くっきりとしたイルミネーションを実現し、また屈折効果を生じさせて、独特の発光態様を実現でき、遊技の趣向性を高める。
なお、本発明の遊技機用発光装置は、各種のパチンコ機に適用でき、また、上皿、下皿、上部電飾部等の各種の部位に適用できる。
遊技者から見て、電飾効果のあるもの、図柄（文字を含む）の表示効果のあるもの等を含む。
【０００６】
【発明の実施の形態】
以下、本発明の遊技機用発光装置が適用される発明の実施の形態の一例である上皿１について、図面を参照して説明する。この上皿１は、図１に示した通り、パチンコ機の枠に取付けられる当て板部１０、当て板部１０の周辺を覆う当て板カバー周辺部２０、当て板部１０の上部中央に固定される上皿本体３０、側面方向から前方に向かって発光するＬＥＤチップを実装した基板部４０、この基板部４０を受光部６０に固定する基板ホルダ５０、この基板部４０の前面に配置される３次元曲面形状（ここでは弧状面）を有する受光部６０、基板部４０と基板ホルダ５０と受光部６０とを内側領域に固定して収容し、基板部４０から側面方向に発光された光を外側領域に透過させる３次元曲面形状（ここでは弧状面）を有するボディ部７０とを組み付けることにより構成されている。ここで遊技機用発光装置は基板部４０と基板ホルダ５０と受光部６０が該当する。
【０００７】
当て板部１０は、図１に示す通り、本体板１１と、本体板１１に形成され、パチンコ台に取り付けるための取付部１２、後述の当て板カバー周辺部２０を取付けるための取付部１３、上皿本体３０を取付けるための取付部１４を備えたものである。
【０００８】
当て板カバー周辺部２０は、図１に示す通り、中央部に広口の開口部２１が形成され、この開口部を取り囲むように形成される装飾パネル２２と、上皿本体３０を取り付ける取付枠２３とを備えている。この取付枠２３の上部には、円筒形状の張出取付け部２４が左右二箇所設けられ、ボディ部７０に取付けられる。
【０００９】
上皿本体３０は、図１に示す通り、上部に弧状の張り出しを備えた受け皿部３１、受け皿部３１の底板部３２とを備え、下前面には、筒状に張り出す３個の取付部３３が前側に延び出し、そこに受光部６０が取付けられる。
【００１０】
基板部４０は、上前面基板４１、中前面基板４２、下前面基板４３の三枚の前面基板が略水平方向に所定間隔Ｈを空けて配置され３層構造としたものである。この三枚の前面基板４１〜４３は、いずれも前縁部４４が受光部６０の曲面形状に合わせて弧状に形成され、受光部６０の近傍に設けたものである。受光部６０の曲面形状に合わせて平面視で下方の基板ほど後方にずらされている。前面基板４１〜４３の形状を受光部６０に沿わせたのは、発光にばらつきが出てしまうことを防ぐためであり、受光部６０の近傍に設けたのは、スペースを活用するとともに、電飾効果を高めるためである。各前面基板４１〜４３の前縁部４４から奥側に向かって凹状の切欠部４５が左右に所定間隔で設けられている。この切欠部４５は基板ホルダ５０を嵌合させて保持するものである。前面基板４１〜４３の裏面に基板面に平行に後方部に設けられたコネクタ４６ａ〜４６ｃから、それぞれ、信号や電源が供給されるようになっている（図６（ａ）（ｂ）（ｃ）参照）。コネクタ４６ａ〜４６ｃは、前面基板４１〜４３の裏面に固定したコネクタ受部と、コネクタ受部に差し込むコネクタジャックとから構成され、配線４６ｅが付いたコネクタジャックの差込方向が前面基板４１〜４３と平行で奥側から手前側になっている。各前面基板４１〜４３の前縁部４４近傍には、それぞれ、受光部６０の３次元曲面をなす受光面の曲面形状に沿わせて、弧状に多数の側面発光型のＬＥＤチップ４７が実装されている。前面基板４１〜４３の裏面にもＬＥＤチップ４７を設けることもある。図３に示す通り、前面基板４１〜４３を所定間隔Ｈで３層配置してあるが、この間隔Ｈは、異なる層のＬＥＤチップ４７から側面方向に発光される光が干渉しないように遮光するとともに、光の拡散を防止し、上側にある前面基板４１及び４２の裏面、前面基板４３の表面に反射されて、各前面基板４１〜４３の上部領域で複雑に屈折することで、電飾効果を高めることができる。前面基板４１の上部はボディ部７０で覆っている。
【００１１】
基板ホルダ５０は、各前面基板４１〜４３を切欠部４５から挿入し挟んで保持する３つの挟持部５１と、各挟持部５１に連結する２個の取付部５２から一体的に構成され、取付部５２にネジを取付けることで受光部６０に固定される。
【００１２】
受光部６０は一体成形加工された光透過性部材（例えばプラスチックの半透明板等）で、図４に示す通り、３次元曲面である受光面を有するものであり、正面視で逆台形形状のパネルであり平面視で前方に湾曲させた形状を成す。受光部６０は、水平方向に概ね均等の間隔で配置したレンズ６１〜６３を備えている。各レンズ６１〜６３は細長帯状に形成され、側面断面視で、前方にコ字形状に突出する断面を備えている。各レンズ６１〜６３は正面視で大きな曲率半径の円弧形状とされ、下凸に湾曲している。このレンズ６１〜６３の裏面はローレット加工が施され、コ字形状の３面に連続的に所定間隔で多数の凹凸が縦方向に形成されている。受光部６０の裏面から後方に突出する、基板ホルダ５０を嵌め込んでネジで固定できる有孔取付部６４（ここでは６箇所）と、ボディ部７０と嵌合する嵌合雌部６５と、当て板部１０や当て板カバー周辺部２０に取付けるための取付部６６とを備えている。
【００１３】
ボディ部７０は、前方に向かって弧状に膨出し側面視で下方に向かって曲がる弧状面を有する前面パネル７１と、前面パネル７１の上部に曲線状に張り出した略水平な上面パネル部７２とを一体に構成したものである。前面パネル７１は、各レンズ６１〜６３が嵌め込みできるように均等に横方向に開口される３個の横長開口部７３〜７５を縦方向に配設している。上面パネル部７２は、湾曲した切欠部７６と開口部７７と開口部７８が形成されている。この内、切欠部７６は、ボディ部７０を上皿本体３０に取り付けると受け皿部３１部分と合致するようになっている。開口部７７はＣＲパネル（図示略）が取付けられるようになっているものである。開口部７８に玉抜きボタン（図示略）が取付けられるようになっている。
【００１４】
このように、本実施形態の上皿１は、レンズ６１〜６３を弧状にすることに伴い、前面基板４１〜４３の前縁部４４を弧状に形成して近接配置させ、ＬＥＤチップ４７を前縁部４４の近傍に弧状に配置したので、ＬＥＤチップ４７から側面に照射されるＬＥＤ光は、レンズ６１〜６３に照射されて通過するとともに、反射された光は、前面基板４１〜４３で遮光されるとともに反射される。これにより、本実施形態の上皿１は、弧状の受光部６０にＬＥＤチップ４７からＬＥＤ光を照射する場合に適用できるとともに、従来の垂直発光型ＬＥＤ基板より基板枚数を少なくすることができる。従来のフレキシブル基板と同等な効果を奏する上で大幅なコスト低減が可能になり、取り扱いが容易である。スペースを奥行き方向にもたすことができるので、スペースの狭隘な場所でも設置できる効果がある。さらに、基板４１〜４３の遮光効果によって、横方向に３本のストライプがくっきりと映る。従来技術と本実施形態の効果の対比の詳細は表１を参照されたいが、本実施形態は、平均して欠点がないということである。
【表１】
2004223021.tif 000003
【００１５】
以上の実施形態の説明では、第３種パチンコ機はじめ、各種のパチンコ機に適用できる。また、適用部位も上皿、下皿、遊技領域より上部にある電飾部等が挙げられる。
尚、本発明の実施の形態は、上記の実施例に何ら限定されるものではなく、本発明の技術的範囲に属する限り種々の形態を採り得ることは無論である。例えば、遊技機用発光装置の形状、配置、個数等は、何ら限定されるものではなく、適宜、選択が可能である。
【００１６】
【発明の効果】
本発明によれば、発光素子基板の枚数を削減し、フレキシブル基板と同様な性能を発揮しつつコストを大幅に削減でき、組立性が良好で、取り扱いも容易である。
【図面の簡単な説明】
【図１】本実施形態の上皿１の分解斜視図である。
【図２】（ａ）は図２（ｂ）のＩＩａ−ＩＩａ線断面図、（ｂ）は基板の平面図である。
【図３】基板による光の屈折を示す説明図である。
【図４】（ａ）はレンズ部の平面図、（ｂ）は同正面図、（ｃ）は同部分裏面図、（ｄ）は右側面図、（ｅ）は図４（ｂ）のＩＶｅ−ＩＶｅ線断面図である。
【図５】（ａ）はボディ部の平面図、（ｂ）は同正面図、（ｃ）は同背面図である。
【図６】（ａ）は図５（ａ）のＶＩａ−ＶＩａ線断面図、（ｂ）は同ＶＩｂ−ＶＩｂ線断面図、（ｃ）は同ＶＩｃ−ＶＩｃ線断面図である。
【図７】従来技術の電飾装置を曲面形状を備える受光部に適用する場合の平面図である。
【符号の説明】
１・・・上皿    １０・・・当て板部    １１・・・本体板
１２〜１４・・・取付部    ２０・・・当て板カバー周辺部
２１・・・開口部    ２２・・・装飾パネル    ２３  取付枠
２４・・・張出取付部    ３０・・・上皿本体    ３１・・・受け皿部
３２・・・底板部    ３３・・・取付部    ４０・・・基板部
４１・・・上前面基板    ４２・・・中前面基板    ４３・・・下前面基板
Ｈ・・・所定間隔    ４４・・・前縁部    ４５・・・切欠部
４６ａ〜４６ｃ・・・コネクタ    ４６ｅ・・・配線
４７・・・ＬＥＤチップ        ５０・・・基板ホルダ
５１・・・挟持部    ５２・・・取付部    ６０・・・受光部
６１〜６３・・・レンズ    ６４・・・有孔取付部    ６５・・・嵌合雌部
６６・・・取付部    ７０・・・ボディ部    ７１・・・前面パネル
７２・・・上面パネル部    ７３〜７５・・・横長開口部
７６・・・切欠部    ７７・・・開口部    ７８・・・開口部
【図１】
2004223021.tif 000004
【図２】
2004223021.tif 000005
【図３】
2004223021.tif 000006
【図４】
2004223021.tif 000007
【図５】
2004223021.tif 000008
【図６】
2004223021.tif 000009
【図７】
2004223021.tif 000010